(57)【要約】【課題】モータを使用することなく扉を開扉方向に押し出すための部材を元の状態に復帰させることができ、従って、施工時の配線工事も不要となる開扉アシスト装置を提供する。【解決手段】戸枠３に取り付けられて初期開き角度まで扉１に開扉方向の力を付与する押し出しアーム１０と、蓄勢された力により押し出しアーム１０を押し出し位置側に付勢するコイルバネ１１と、初期開き角度以上に扉１を開くときに、その扉１の回動動作に押し出しアーム１０を連動させて押し出しアーム１０を格納位置に復帰させると共にコイルバネ１１を蓄勢させるリンク機構部１８，１９と、格納位置に復帰した押し出しアーム１０をロックすると共に扉１が全閉状態になって扉１が戸枠３に保持されるとそのロックを解除するロック機構部３０，３１とを備えている。【選択図】図４
2010121359.tif 000002
【特許請求の範囲】
【請求項１】
扉を開き始めるときに、所定の初期開き角度まで扉に開扉方向の力を付与する開扉アシスト装置であって、
戸枠又は扉に格納位置から押し出し位置まで移動可能に取り付けられ、全閉状態から前記初期開き角度まで扉に開扉方向の力を付与すべく扉又は戸枠を押しながら格納位置から押し出し位置まで移動する押し出し部材と、蓄勢された力により押し出し部材を押し出し位置側に付勢する付勢手段と、前記初期開き角度以上に扉を開くときに、その扉の回動動作に押し出し部材を連動させて押し出し部材を格納位置に復帰させると共に付勢手段を蓄勢させるリンク機構部と、該リンク機構部によって格納位置に復帰した押し出し部材が押し出し位置に移動しないように該押し出し部材をロックすると共に扉が全閉状態になって扉が戸枠に保持されるとそのロックを解除するように構成されたロック機構部とを備えていることを特徴とする開扉アシスト装置。
【請求項２】
押し出し部材は戸枠の戸先側に回動可能に取り付けられ、リンク機構部は、押し出し部材に連結されて戸枠の戸尻側に向けて延伸するリンクバーを備え、該リンクバーはその延伸方向に沿って移動可能であってリンクバーが戸尻側に移動することで押し出し部材は押し出し位置に回動し、且つ、付勢手段はリンクバーを戸尻側に付勢し、前記初期開き角度以上に扉を開くときに、扉の戸尻側の所定部位がリンクバーに当接して扉の回動動作に伴ってリンクバーを戸先側に移動させるように構成されている請求項１記載の開扉アシスト装置。
【請求項３】
押し出し部材は扉の戸先側に回動可能に取り付けられ、扉の戸尻側にはドアクローザが取り付けられ、リンク機構部は、押し出し部材に連結されて扉の戸尻側に向けて延伸するリンクバーを備え、該リンクバーはその延伸方向に沿って移動可能であってリンクバーが戸尻側に移動することで押し出し部材は押し出し位置に回動し、且つ、付勢手段はリンクバーを戸尻側に付勢し、前記初期開き角度以上に扉を開くときに、ドアクローザの主軸まわりに回動する部材がリンクバーに当接して扉の回動動作に伴ってリンクバーを戸先側に移動させるように構成されている請求項１記載の開扉アシスト装置。
【請求項４】
押し出し部材にリンク部材が連結され、付勢手段はリンク部材を介して押し出し部材を付勢するように構成され、リンク部材と押し出し部材とを連結している連結箇所には、押し出し位置まで移動した押し出し部材が、リンク部材が停止した状態のままで格納位置まで戻るための避難路が設けられ、初期開き角度より更に扉が開かれることなく閉扉される際に、押し出し部材が避難路を利用して格納位置に復帰できるように構成されている請求項１記載の開扉アシスト装置。
【請求項５】
リンク部材を介すことなく押し出し部材を直接押し出し位置側に付勢する補助付勢手段が設けられ、避難路を利用して格納位置まで復帰した押し出し部材が、次回の開扉操作時において、補助付勢手段により押し出し位置まで移動できるように構成されている請求項４記載の開扉アシスト装置。
【請求項６】
ロック機構部は、扉の全閉後所定時間遅れてロックを解除するためのディレー機構部を備えている請求項１記載の開扉アシスト装置。
【発明の詳細な説明】
【技術分野】
【０００１】
本発明は、開き初めの扉に開扉方向の力を付与する開扉アシスト装置に関する。
【背景技術】
【０００２】
近年の扉の大型化や密閉性向上を背景として、開き初めに扉に開扉方向の力を付与する開扉アシスト装置が提案されている。例えば、下記特許文献１所載のものは、バネがスライダを介してアームを開扉方向に付勢し、開扉時にアームを突出させて扉に開扉方向の力を付与するようにしている。
【特許文献１】特開２００１−１０７６３８号公報
【発明の開示】
【発明が解決しようとする課題】
【０００３】
しかしながら、開扉時に突出したアームをモータによって元の位置に復帰させるようにしているため、アーム等の部品の他に、別途復帰用のモータが必要になる。また、複数のスイッチを配置してそれによって扉が開いたことやアームが最大突出したこと等を検出する構成であるため、スイッチも必要になる。そして、モータやスイッチを使用する構成であるため、施工時において配線工事が必要になるという問題がある。
【０００４】
そこで本発明は上記従来の問題点に鑑みてなされ、モータを使用することなく扉を開扉方向に押し出すための部材を元の状態に復帰させることができ、従って、施工時の配線工事も不要となる開扉アシスト装置を提供することを課題とする。
【課題を解決するための手段】
【０００５】
本発明は上記課題を解決すべくなされたものであって、本発明に係る開扉アシスト装置は、扉を開き始めるときに、所定の初期開き角度まで扉に開扉方向の力を付与する開扉アシスト装置であって、戸枠又は扉に格納位置から押し出し位置まで移動可能に取り付けられ、全閉状態から前記初期開き角度まで扉に開扉方向の力を付与すべく扉又は戸枠を押しながら格納位置から押し出し位置まで移動する押し出し部材と、蓄勢された力により押し出し部材を押し出し位置側に付勢する付勢手段と、前記初期開き角度以上に扉を開くときに、その扉の回動動作に押し出し部材を連動させて押し出し部材を格納位置に復帰させると共に付勢手段を蓄勢させるリンク機構部と、該リンク機構部によって格納位置に復帰した押し出し部材が押し出し位置に移動しないように該押し出し部材をロックすると共に扉が全閉状態になって扉が戸枠に保持されるとそのロックを解除するように構成されたロック機構部とを備えていることを特徴とする。
【０００６】
該構成の扉の開放アシスト装置にあっては、開扉時の初期において所定の初期開き角度まで、付勢手段が蓄勢された力を解放することで押し出し部材を押し出し位置に移動させて扉に開扉方向の力を付与するので、小さい力で扉を開くことができる。そして、続いて初期開き角度以上に扉を開扉していくと、その回動動作を利用してリンク機構部が押し出し部材を格納位置に復帰させると共に付勢手段も蓄勢させる。また、リンク機構部によって復帰した押し出し部材をロック機構部がロックするので、例えば閉扉途中において押し出し部材が押し出し位置に移動するということがなく、押し出し部材が格納位置に復帰した状態で扉を全閉状態に閉じることができる。そして、扉が全閉状態になって扉がラッチ等により戸枠に保持されると、次回の開扉動作のためにロック機構部は押し出し部材のロックを解除する。
【０００７】
特に、押し出し部材は戸枠の戸先側に回動可能に取り付けられ、リンク機構部は、押し出し部材に連結されて戸枠の戸尻側に向かって延伸するリンクバーを備え、該リンクバーはその延伸方向に沿って移動可能であってリンクバーが戸尻側に移動することで押し出し部材は押し出し位置に回動し、且つ、付勢手段はリンクバーを戸尻側に付勢し、前記初期開き角度以上に扉を開くときに、扉の戸尻側の所定部位がリンクバーに当接して扉の回動動作に伴ってリンクバーを戸先側に移動させるように構成されていることが好ましい。
【０００８】
該構成によれば、押し出し部材が戸枠の戸先側に位置することで効率よく扉を押し出すことができる。また、リンクバーに扉の戸尻側の所定部位が当接してそれを戸先側に移動させるので、扉の回動動作が効果的にリンクバーの移動に変換されて押し出し部材を復帰させることができる。
【０００９】
また、押し出し部材は扉の戸先側に回動可能に取り付けられ、扉の戸尻側にはドアクローザが取り付けられ、リンク機構部は、押し出し部材に連結されて扉の戸尻側に向かって延伸するリンクバーを備え、該リンクバーはその延伸方向に沿って移動可能であってリンクバーが戸尻側に移動することで押し出し部材は押し出し位置に回動し、且つ、付勢手段はリンクバーを戸尻側に付勢し、前記初期開き角度以上に扉を開くときに、ドアクローザの主軸まわりに回動する部材がリンクバーに当接して扉の回動動作に伴ってリンクバーを戸先側に移動させるように構成されていることが好ましい。
【００１０】
該構成によれば、押し出し部材が扉の戸先側に位置することで効率よく扉を押し出すことができる。また、リンクバーにドアクローザの主軸まわりに回動する部材が当接してそれを戸先側に移動させるので、扉の回動動作がドアクローザを介して効果的にリンクバーの移動に変換されて押し出し部材を復帰させることができる。
【００１１】
また、押し出し部材にリンク部材が連結され、付勢手段はリンク部材を介して押し出し部材を付勢するように構成され、リンク部材と押し出し部材とを連結している連結箇所には、押し出し位置まで移動した押し出し部材が、リンク部材が停止した状態のままで格納位置まで戻るための避難路が設けられ、初期開き角度より更に扉が開かれることなく閉扉される際に、押し出し部材が避難路を利用して格納位置に復帰できるように構成されていることが好ましい。
【００１２】
該構成によれば、仮に扉が初期開き角度より更に開かれることなく閉扉される場合に押し出し部材が避難路により格納位置に復帰することとなる。従って、初期開き角度より更に開かない場合に、その扉によって押し出し部材を付勢手段に抗して格納位置に復帰させる必要がなくなる。
【００１３】
この場合、リンク部材を介すことなく押し出し部材を直接押し出し位置側に付勢する補助付勢手段が設けられ、避難路を利用して格納位置まで復帰した押し出し部材が、次回の開扉操作時において、補助付勢手段により押し出し位置まで移動できるように構成されていることが好ましい。
【００１４】
上述のように、押し出し部材が避難路を介して復帰した場合には付勢手段が蓄勢されていないので、次回の開扉操作時には通常のように付勢手段が押し出し部材を押し出し位置に移動させることができない。しかしながら、補助付勢手段によって押し出し位置を押し出し位置まで移動させるので、手動によらず押し出し部材を押し出し位置に移動させることができる。従って、その後の更なる開扉操作によってリンク機構部により付勢手段が蓄勢され、また、押し出し部材も復帰するので、その次の開扉時には通常どおり扉に開扉方向の力を付与することができる。
【００１５】
また、ロック機構部は、扉の全閉後所定時間遅れてロックを解除するためのディレー機構部を備えていることが好ましい。該ディレー機構部を備えることにより、全閉時における扉の戸枠による保持のタイミングを高精度に調整し維持する必要がなくなる。
【発明の効果】
【００１６】
以上のように、本発明に係る開扉アシスト装置は、リンク機構部によって押し出し部材を復帰させると共に付勢手段を蓄勢させ、ロック機構部が押し出し部材をロックするので、モータ等の別途の駆動手段が不要になり、施工時にも配線工事が不要になる。
【発明を実施するための最良の形態】
【００１７】
以下、本発明の一実施形態にかかる開扉アシスト装置について図面を参酌しつつ説明する。図１は開扉アシスト装置の平面図であって扉が全閉の状態を示し、図２は要部拡大図、図３は図１のＡ−Ａ断面図で、図４は扉が初期開き角度まで開いた状態を示し、図５は図４から更に扉が開いたときの状態を示し、図６は図５から更に扉が開いたときの状態を示し、図７は閉扉途中の状態を示している。
【００１８】
扉１は、上下方向の回動軸２まわりに水平方向に回動するように戸枠３に取り付けられており、全閉状態においてラッチ装置により戸枠３に保持される。即ち、扉１のラッチ４が戸枠３のラッチ受け５に係止されることで扉１は全閉状態に保持され、図示しないノブの回転操作等によりラッチ受け５からラッチ４が外れると扉１を開扉方向に開くことができる。
【００１９】
本実施形態における開扉アシスト装置は、戸枠３側に取り付けられて開扉時に扉１を押すように構成された押し出し部材としての押し出しアーム１０と、該押し出しアーム１０を蓄勢された力によって押し出す付勢手段としてのコイルバネ１１と、押し出しアーム１０を復帰させると共にコイルバネ１１を縮めて蓄勢させるためのリンク機構部と、復帰した押し出しアーム１０をロックするロック機構部とを備えている。以下、具体的に説明する。
【００２０】
開扉アシスト装置は、図１乃至図４のように、戸枠３に取り付けられる角筒状の枠体１２を備え、該枠体１２内に前記押し出しアーム１０が回動可能に取り付けられている。該押し出しアーム１０は、戸枠３の戸先側に位置し、支軸９を中心として水平に回動するように枠体１２に取り付けられており、枠体１２に大部分が格納された格納位置において、扉１と反対側に伸びる第１腕部１３と扉１と略平行に戸尻側に伸びる第２腕部１４とから平面視Ｌ字状に形成されている。第２腕部１４の先端にはコロ１５が取り付けられていて扉１に当接し、押し出しアーム１０が開扉時に図４のように押し出し位置まで回動することにより第２腕部１４が枠体１２から扉１側に突出して扉１を押し出す。また、押し出しアーム１０の第１腕部１３の先端側には第１腕部１３の伸びる方向に沿って直線状の長孔１６が形成され、該長孔１６には連結ピン１７が貫通している。
【００２１】
そして、連結ピン１７によって、押し出しアーム１０は、リンク機構部を構成するリンクバー１８の戸先側の端部に連結されている。リンク機構部は、枠体１２内に収納されたリンクバー１８と、リンクバー１８の戸尻側の端部に当接可能なように、扉１の戸尻側に取り付けられた押圧アーム１９とを備えている。リンクバー１８は、丸棒状であって全閉状態の扉１と平行で、その延伸方向（軸線方向）に沿って所定距離平行移動可能である。リンクバー１８の戸先側の端部にはその軸線方向に沿って長孔２０が直線状に形成されており、該長孔２０に前記連結ピン１７が係合している。
【００２２】
リンクバー１８の戸尻側の端部には受け板２９が取り付けられており、該受け板２９の戸先側の端面を戸尻側に押圧するように前記コイルバネ１１が配置されている。具体的には、コイルバネ１１の内側をリンクバー１８が挿通しており、リンクバー１８を戸尻側に付勢することによって押し出しアーム１０を押し出し位置側に付勢している。尚、コイルバネ１１の戸先側にはコイルバネ１１による付勢力、即ち扉１に付与する力の大小を調整する機構が設けられている。即ち、枠体１２にはナット２１が取り付けられており、該ナット２１にボルト２２が挿通、螺着している。該ボルト２２の中央には貫通孔が形成されていて該ボルト２２をリンクバー１８が貫通している。ボルト２２の戸先側の端部には円盤部２２ａが一体的に形成されていてその外周面には複数の孔が放射状に形成され、該孔に工具の先端を挿入してボルト２２をリンクバー１８の軸線回りに回転させることによって、ボルト２２の戸尻側の端部と前記受け板２９との間に介在しているコイルバネ１１を伸縮させることができる。また、枠体１２には、リンクバー１８の受け板２９から所定距離戸尻側に離間した位置にストッパ２３が設けられ、図４のように該ストッパ２３にリンクバー１８の受け板２９が当接するとそれ以上のリンクバー１８の戸尻側への移動が阻止され、押し出しアーム１０の回動もその位置、即ち押し出し位置で停止する。図４に示す扉１の開き角度が初期開き角度であってその開き角度まで押し出しアーム１０が扉１に開扉方向の力を付与する。この初期開き角度は、一般には１０度以下である。
【００２３】
前記押圧アーム１９は、図４の初期開き角度から更に扉１が開扉されると初めて受け板２９に当接する。該押圧アーム１９は、扉１の一方の面即ち押し出しアーム１０が当接する面に、ブラケット２４を介して取り付けられている。押圧アーム１９は、基端部においてブラケット２４に水平方向に回動可能に支持されていてその先端部にはコロ２５が取り付けられている。押圧アーム１９は、図示しないバネにより図１において時計回りに付勢されており、通常は、ブラケット２４の規制壁２４ａに当接していて扉１に対して平面視略垂直の起立姿勢にあり、その起立姿勢を維持したまま扉１と共に回動する。そして、押圧アーム１９は、図４の状態から更に扉１が開かれると、図５のように受け板２９に当接してそれを戸先側に押圧し移動させる。このように、押圧アーム１９は、初期開き角度を越えて扉１が開かれると受け板２９に当接し、その後扉１が所定角度回動する間において受け板２９に当接しながらリンクバー１８を戸先側に移動させることで、押し出しアーム１０を元に復帰させると共にコイルバネ１１を圧縮し蓄勢させる。尚、図５の状態は押し出しアーム１０が格納位置よりも僅かに奥側に回動した状態にあるが、この直後において受け板２９から押圧アーム１９が離れると、図６のようにリンクバー１８が戸尻側に僅かに移動して格納位置となる。
【００２４】
次にロック機構部について説明する。該ロック機構部は、図６に示すように押し出しアーム１０を押し出し位置側に回動しないように格納位置にロックするためのものである。具体的には、リンクバー１８には図３にも示すように係止ピン３０が取り付け固定されてリンクバー１８から下方に所定量突出している。その一方、枠体１２には扉１側に向かって出退自在なようにロックピン３１が支持されている。ロックピン３１は枠体１２内においてＬ字状のブラケット３２に支持されると共に枠体１２の後面にも支持されて前後に移動可能であり、その前端部は枠体１２の前面から所定量前方に突出している。そして、バネ３３によってロックピン３１が前方に突出するように付勢されているが、扉１が全閉状態では図３のように扉１によって後方に押された没状態にある。かかるロックピン３１の略中央上部には切欠部３４が形成され、該切欠部３４の後側は図２のように傾斜面３５となっている。そして、図４の初期開き角度から更に開扉されると、リンクバー１８の戸先側への移動によって係止ピン３０がロックピン３１の傾斜面３５に当接し、係止ピン３０が傾斜面３５を押すことでロックピン３１を後方に移動させ、やがて図５のように係止ピン３０が切欠部３４を通過する。そして、図６に示すように、リンクバー１８がコイルバネ１１によって戸尻側に移動しようとしても、ロックピン３１の戸先側の側面に係止ピン３０が当接するので、リンクバー１８はその位置にロックされ、押し出しアーム１０も格納位置にロックされることとなる。その後、図１及び図２のように扉１が全閉状態に戻ってラッチ装置により戸枠３に保持されると、扉１がロックピン３１を後方に押すことでリンクバー１８のロックが解除されてリンクバー１８がその長孔２０のストローク分だけ戸尻側に移動し、コイルバネ１１の蓄勢された力がリンクバー１８を介して押し出しアーム１０に伝達される。尚、図７のように閉扉途中で押圧アーム１９のコロ２５が受け板２９のエッジに僅かに当接するが、押圧アーム１９がバネの付勢力に抗して図中反時計回りに回動して受け板２９との干渉を回避する。
【００２５】
以上のように構成された開扉アシスト装置にあっては、リンク機構部によって押し出しアーム１０を復帰させ且つコイルバネ１１を圧縮蓄勢させ、ロック機構部によってその状態に保持されるので、従来のようなモータやスイッチ等の電気部品が不要となり、施工時の配線工事も不要となる。また、全閉状態になると自動的にロックピン３１が押されてロックが解除されるので、次に扉１を開扉する際にも再び押し出しアーム１０によって扉１に開扉方向の力を付与することができる。しかも、初期開き角度を越えた扉１の回動動作を利用して押し出しアーム１０を復帰させてコイルバネ１１を圧縮させるので、押し出しアーム１０の復帰等のために別途特別な操作を行う必要もない。特に、戸尻側に押圧アーム１９を設けているので、強力なコイルバネ１１も容易に圧縮させることができる。
【００２６】
尚、押し出しアーム１０の構成は種々変更可能であって、例えば、図８のように逆向きに回動する構成とすることもできる。図８に示す押し出しアーム１０は直線状であって、図８（ａ）に示す格納位置から反時計回りに回動して図８（ｂ）に示す押し出し位置となる。上記実施形態では受け板２９がストッパ２３に当接するようにしていたが、図８（ｂ）のように押し出しアーム１０がストッパ２３に当接するようにしてもよい。尚、図８（ｃ）は上記実施形態と同様にリンクバー１８が戸先側に押されてロックピン３１によってリンクバー１８の係止ピン３０が係止されたロック状態を示している。
【００２７】
以上の説明では、押し出しアーム１０を戸枠３側に取り付ける構成について説明したが、逆に扉１側に押し出しアーム１０を設けてもよく、以下、その態様につき図９乃至図１２を参酌しつつ説明するが、上述したのと同様の構成について同一符号を付してその詳細な説明を省略し、異なる部分を中心に説明する。
【００２８】
図９乃至図１２に示すように、押し出しアーム１０は扉１に回動可能に取り付けられ、その第２腕部１４の先端のコロ１５が戸枠３を押し、その反作用によって扉１に開扉方向の力を付与する構成である。図１１に示すように押し出しアーム１０の第１腕部１３は上下に二股に形成されていてその間をリンクバー１８が挿通している。押し出しアーム１０の第１腕部１３には上述したのと同様に直線状の長孔１６が形成されているが、更に、その直線状の長孔１６の一端から円弧状の長孔４０が延設されている。該円弧状の長孔４０は、押し出しアーム１０の支軸９を中心とする円弧であって、後述するように避難路として機能する。また、押し出しアーム１０の支軸９には補助付勢手段としての捻りバネ４１が装着されており、該捻りバネ４１は後述のドアクローザの閉鎖力よりも小さい付勢力で押し出しアーム１０を押し出し位置側に付勢している。尚、この捻りバネ４１の付勢力は主たる付勢手段としてのコイルバネ１１のそれよりも小さく、捻りバネ４１はリンクバー１８を介すことなく直接押し出しアーム１０を押し出し位置側に付勢する。
【００２９】
一方、リンクバー１８の戸尻側の端部には受け板２９が設けられているが、この受け板２９の戸尻側の端面は、上述したようなリンクバー１８と直交する平坦面ではなく、カム面２９ａとなっている。また、扉１にはドアクローザの本体５０が取り付けられ、該ドアクローザの本体５０の主軸５１に取り付けられて扉１の回動動作と連動して主軸５１まわりに回転するリンク５２には、リンク機構部を構成する押圧アーム１９が水平方向に回動可能に取り付けられている。尚、リンク５２には上述したブラケット２４と同様に規制壁２４ａが形成されていて、この押圧アーム１９も規制壁２４ａ側に向かって時計回りに回動するように図示しないバネによって付勢されていて、その規制壁２４ａに押圧アーム１９が当接することでそれ以上の回動が阻止される構成である。
【００３０】
そして、全閉状態から扉１を開き始めると、図１２に示すように押し出しアーム１０が押し出し位置まで回動して初期開き角度まで扉１には開扉方向の力が付与される。図１２に示すように係止ピン３０がコの字状のストッパ２３に当接すると、リンクバー１８及び押し出しアーム１０はその移動を停止する。その状態において受け板２９のカム面２９ａに押圧アーム１９が当接する。
【００３１】
引き続いて扉１をそれ以上に回動していくと、ドアクローザの主軸５１と共に押圧アーム１９も反時計回りに回動し、その押圧アーム１９がカム面２９ａを走行しながらリンクバー１８を戸先側に移動させてコイルバネ１１を圧縮させると共に、図１３のように、押し出しアーム１０を格納位置に復帰させる。同様に、ロックピン３１によってその状態が保持されるので、図１３の状態から更に扉１を開くときも押し出しアーム１０は格納位置にロックされたままである。
【００３２】
一方、仮に図１２に示した初期開き角度の状態から扉１をそれ以上開かない場合、押し出しアーム１０に円弧状の長孔４０が避難路として形成されているので、リンクバー１８が戸先側に移動せずに停止したままの状態であっても、閉じていく扉１に押し出しアーム１０が押されて図１４に示すように格納位置まで復帰できる。即ち、連結ピン１７が直線状の長孔１６から円弧状の長孔４０へと移動することができるので、押し出しアーム１０はリンクバー１８とは別個独立に回動して元の格納位置に復帰する。このように避難路として円弧状の長孔４０が形成されているので、扉１で強引に押し出しアーム１０を押してコイルバネ１１を圧縮させるということが不要になり、押し出しアーム１０のみをドアクローザの閉鎖力により、自動的に復帰させることができる。これにより初期開き角度で扉１が開き放しになることを防止できる。
【００３３】
図１４の状態では、扉１が全閉状態にあるもののリンクバー１８は戸尻側に移動していてコイルバネ１１も伸張状態にあって蓄勢されていない。従って、次に扉１を開く場合には押し出しアーム１０からの開扉方向の力は付与されない。しかしながら、捻りバネ４１が設けられいるので、手動で押し出しアーム１０を押し出し位置に回動させることなく、図１５のように自動的に押し出しアーム１０は押し出し位置へと回動する。その後更に扉１を開けば通常どおり押圧アーム１９がリンクバー１８を戸先側に移動させるので、コイルバネ１１も蓄勢され、押し出しアーム１０もリンクバー１８と連動して格納位置に復帰する。
【００３４】
尚、押し出しアーム１０に捻りバネ４１等の補助付勢手段を設ける場合に、押し出しアーム１０に歯部を形成すると共に枠体１２にはその歯部に噛合するダンパー付きの歯車を設け、押し出しアーム１０がゆっくりと押し出し位置に回動するようにしてもよい。
【００３５】
尚、上記実施形態においてロック機構部にディレー機構部を更に備えるようにしてもよい。例えば、枠体１２を戸枠３に取り付ける場合において、図１６乃至図１８に示すようにロックピン３１の先端側に二股板６０を取り付け、該二股板６０の一方側に可動体６１を設けて、該可動体６１をバネ６２で扉１側に突出するように付勢する。そして、枠体１２にはダンパー６３を取り付け、そのダンパー６３に二股板６０の他方側を当接させる。
【００３６】
まず、図１６のように閉扉途中の状態では、扉１がロックピン３１の可動体６１には当接していない状態にあって、可動体６１はバネ６２によって扉１側に突出していると共に、ロックピン３１に係止ピン３０が係止されてロック状態にある。その後、図１７のように扉１が全閉状態になると、その扉１によって可動体６１が押し込まれてバネ６２が圧縮するが、二股板６０はダンパー６３で支えられてその位置を保持する。扉１が全閉状態になるとラッチ４がラッチ受け５に係合して扉１が戸枠３に保持されるが、バネ６２の弾性復元によって二股板６０が徐々に押し込まれていってロックピン３１も押し込まれて、図１８のように係止ピン３０が切欠部３４に位置してロックピン３１によるロックが解除される。
【００３７】
このように、バネ６２とダンパー６３とを有するディレー機構部により、扉１の全閉後に所定時間遅れてロックピン３１がリンクバー１８及び押し出しアーム１０のロックを解除するので、扉１の全閉時にラッチ４がラッチ受け５に確実に係止され、また、ロックピン３１の突出量や取付位置等をラッチ４のタイミングに合わせて高精度に調整する必要もなくなる。
【００３８】
尚、上記実施形態では、押圧アーム１９を回動タイプとして説明したが、回動しない固定タイプとして構成してもよい。但し、押圧アーム１９を回動タイプとすると、閉扉途中に押圧アーム１９が受け板２９に当接する構成において回動してそれとの干渉を回避することができるため好ましい。尚、押圧アーム１９が閉扉時に受け板２９に当接しないように構成してもよい。
【００３９】
また、押圧アーム１９や押し出しアーム１０にコロ１５，２５を設けたが、これらのコロ１５，２５を省略してもよい。また、押圧アーム１９自体を省略して扉１が直接受け板２９やリンクバー１８に当接する構成であってもよい。同様に、ドアクローザのリンク５２が直接受け板２９やリンクバー１８に当接する構成であってもよい。更に、押圧アーム１９側にカム面を設け、リンクバー１８側にカムフォロアーとしてコロ等を設けるようにしてもよい。
【００４０】
更に、押し出しアーム１０等を枠体１２に取り付け、該枠体１２を扉１や戸枠３に取り付けるようにしたが、枠体１２を介さずに扉１等に直接取り付けるようにしてもよい。
【００４１】
また更に、図１や図８のように押し出しアーム１０を戸枠３に取り付ける構成においても、上述したような避難路を設けたり、更には補助付勢手段を設けたりしてもよく、初期開き角度以上に開かない場合でも、ドアクローザの閉鎖力によって自動的に押し出しアーム１０を格納位置に復帰させることができる。
【図面の簡単な説明】
【００４２】
【図１】本発明の一実施形態における開扉アシスト装置の平面図であって、扉が全閉の状態を示している。
【図２】同開扉アシスト装置の要部拡大図。
【図３】図１のＡ−Ａ断面図。
【図４】同開扉アシスト装置の平面図であって、扉が初期開き角度まで開いた状態を示している。
【図５】同開扉アシスト装置の平面図であって、図４から更に扉が開いてリンクバーが最も戸先側に位置した状態を示している。
【図６】同開扉アシスト装置の平面図であって、図５から更に扉が開いて押し出しアームとリンクバーがロック機構部にロックされた状態を示している。
【図７】同開扉アシスト装置の平面図であって、閉扉途中の状態を示している。
【図８】本発明の他の実施形態における開扉アシスト装置の要部拡大図であって、（ａ）は全閉状態を、（ｂ）は初期開き角まで扉が開いたときの状態を、（ｃ）は押し出しアームとリンクバーがロック機構部にロックされた状態をそれぞれ示している。
【図９】本発明の他の実施形態における開扉アシスト装置の平面図であって、扉が全閉の状態を示している。
【図１０】同開扉アシスト装置の要部拡大図。
【図１１】図１０のＢ−Ｂ断面図。
【図１２】同開扉アシスト装置の平面図であって、扉が初期開き角度まで開いた状態を示している。
【図１３】同開扉アシスト装置の平面図であって、図１２から更に扉が開いて押し出しアームとリンクバーがロック機構部にロックされた状態を示している。
【図１４】同開扉アシスト装置の平面図であって、図１２の初期開き角度から扉をそれ以上開かずに全閉にしたときの状態を示している。
【図１５】同開扉アシスト装置の平面図であって、図１４から扉を開いたときの状態を示している。
【図１６】本発明の他の実施形態における開扉アシスト装置を示す（ａ）は要部断面図（ｂ）は要部底面図であって、扉が閉まる直前の状態を示している。
【図１７】本発明の他の実施形態における開扉アシスト装置を示す（ａ）は要部断面図（ｂ）は要部底面図であって、扉が閉まった瞬間の状態を示している。
【図１８】本発明の他の実施形態における開扉アシスト装置を示す（ａ）は要部断面図（ｂ）は要部底面図であって、扉が閉まってから一定時間経過後の状態を示している。
【符号の説明】
【００４３】
１    扉
２    回動軸
３    戸枠
４    ラッチ
５    ラッチ受け
９    支軸
１０    押し出しアーム（押し出し部材）
１１    コイルバネ（付勢手段）
１２    枠体
１３    第１腕部
１４    第２腕部
１５    コロ
１６    長孔
１７    連結ピン
１８    リンクバー（リンク部材、リンク機構部）
１９    押圧アーム（リンク機構部）
２０    長孔
２１    ナット
２２    ボルト
２２ａ  円盤部
２３    ストッパ
２４    ブラケット
２４ａ  規制壁
２５    コロ
２９    受け板
２９ａ  カム面
３０    係止ピン（ロック機構部）
３１    ロックピン（ロック機構部）
３２    ブラケット
３３    バネ
３４    切欠部
３５    傾斜面
４０    長孔（避難路）
４１    捻りバネ（補助付勢手段）
５０    ドアクローザの本体
５１    主軸
５２    リンク
６０    二股板
６１    可動体（ディレー機構部）
６２    バネ（ディレー機構部）
６３    ダンパー（ディレー機構部）
【図１】
2010121359.tif 000003
【図２】
2010121359.tif 000004
【図３】
2010121359.tif 000005
【図４】
2010121359.tif 000006
【図５】
2010121359.tif 000007
【図６】
2010121359.tif 000008
【図７】
2010121359.tif 000009
【図８】
2010121359.tif 000010
【図９】
2010121359.tif 000011
【図１０】
2010121359.tif 000012
【図１１】
2010121359.tif 000013
【図１２】
2010121359.tif 000014
【図１３】
2010121359.tif 000015
【図１４】
2010121359.tif 000016
【図１５】
2010121359.tif 000017
【図１６】
2010121359.tif 000018
【図１７】
2010121359.tif 000019
【図１８】
2010121359.tif 000020